(57)【要約】【課題】岩盤浴が可能であるとともに、入浴者の趣向に沿った快適で利便性の高い岩盤浴システムを提供する。【解決手段】岩盤浴ユニット（８）、暖房手段（暖房装置１０−１、１０−２）と、熱源手段（給湯器２０）、ミスト発生手段（ミスト発生器１２）とともに、入浴者情報に関係付けられた岩盤浴情報、暖房情報、給湯情報、またはこれらの更新情報を格納する記憶部（３０）と、入浴者を認証する入浴者認証部（１８−１）と、入浴者情報ごとに前記記憶部から読み出された前記岩盤浴情報、前記暖房情報、前記給湯情報または前記更新情報を参照し、前記暖房手段、前記熱源手段または前記ミスト発生手段の何れかを制御する制御部（２６）とを備える。【選択図】図１
2018171269.tif 000002
【特許請求の範囲】
【請求項１】
浴室に設置され、熱媒の循環により加熱する岩盤浴ユニットと、
前記浴室を暖房する暖房手段と、
前記岩盤浴ユニットに前記熱媒を循環し、前記浴室に給湯する熱源手段と、
前記岩盤浴ユニットエリアにミストを噴霧するミスト発生手段と、
入浴者情報に関係付けられた岩盤浴情報、暖房情報、給湯情報、またはこれらの更新情報を格納する記憶部と、
入浴者を認証する入浴者認証部と、
入浴者情報ごとに前記記憶部から読み出された前記岩盤浴情報、前記暖房情報、前記給湯情報または前記更新情報を参照し、前記暖房手段、前記熱源手段または前記ミスト発生手段の何れかを制御する制御部と、
を備えることを特徴とする岩盤浴システム。
【請求項２】
前記制御部は、入浴前、入浴中または入浴後、前記岩盤浴情報、前記暖房情報、前記給湯情報または前記更新情報を更新して前記記憶部に格納し、次回入浴の際、該更新情報を以て前記暖房手段、前記熱源手段または前記ミスト発生手段の何れかを制御することを特徴とする請求項１に記載の岩盤浴システム。
【請求項３】
さらに、前記制御部は、入浴検出に基づいて前記暖房手段を動作させ、浴室温度を居室温度と同一または同等の温度に制御することを特徴とする請求項２に記載の岩盤浴システム。
【請求項４】
さらに、前記ミスト発生手段は、少なくとも前記岩盤浴ユニットにミスト噴射エリアを設定し、ミスト噴射角度を垂直方向または水平方向に変更する噴射方向調整手段を備えることを特徴とする請求項１ないし請求項３のいずれかの請求項に記載の岩盤浴システム。
【請求項５】
さらに、前記岩盤浴ユニットの上面にシャワー水流を噴射可能なシャワー器具を備えることを特徴とする請求項１ないし請求項４のいずれかの請求項に記載の岩盤浴システム。
【請求項６】
さらに、前記浴室は、
車椅子を出入可能な出入口部と、
前記車椅子の車移動を案内する案内手段と、
を備えることを特徴とする請求項１ないし請求項５のいずれかの請求項に記載の岩盤浴システム。
【請求項７】
さらに、前記岩盤浴ユニットは、マトリックス状に区分された複数系統の放熱部を備え、各放熱部に同一または異なる温度の熱媒を循環可能にしたことを特徴とする請求項１ないし請求項６のいずれかの請求項に記載の岩盤浴システム。
【請求項８】
さらに、前記岩盤浴ユニットで岩盤浴を受ける入浴者の姿勢、または前記岩盤浴ユニットと身体の接触部を検出する検出手段を備え、この検出手段の検出出力により前記岩盤浴ユニットの表面温度を制御することを特徴とする請求項１ないし請求項７のいずれかの請求項に記載の岩盤浴システム。
【請求項９】
浴室に設置されて熱媒の循環により加熱する岩盤浴ユニットと、前記浴室内を暖房する暖房手段と、前記岩盤浴ユニットに前記熱媒を循環しかつ前記浴室に給湯する熱源手段と、前記岩盤浴ユニットエリアにミストを噴霧するミスト発生手段とを含む岩盤浴システムに搭載されたコンピュータに実行させるための岩盤浴制御プログラムであって、
入浴者情報に関係付けられた岩盤浴情報、暖房情報、給湯情報、またはこれらの更新情報を記憶部に格納する記憶機能と、
入浴者を認証する入浴者認証機能と、
入浴者情報ごとに前記記憶部から読み出された前記岩盤浴情報、前記暖房情報、前記給湯情報または前記更新情報を参照し、前記暖房手段、前記熱源手段または前記ミスト発生手段の何れかを制御する制御機能と、
をコンピュータに実行させるための岩盤浴制御プログラム。
【請求項１０】
請求項１ないし請求項８に記載の岩盤浴システム、または請求項９に記載の岩盤浴制御プログラムを備えることを特徴とする浴室ユニット。
【発明の詳細な説明】
【技術分野】
【０００１】
本発明は、家庭用浴室の他、スポーツ施設、高齢者向け施設、医療施設、宿泊施設、整体院、岩盤浴施設など、各種施設で用いられる岩盤浴システムに関する。
【背景技術】
【０００２】
岩盤浴の効用が認識されるに至り、岩盤浴を提供するユニットや設備などが普及している。岩盤浴には、ミストサウナおよびシャワーを併用することが行われている。
岩盤浴ユニットに関し、浴室内に岩盤浴領域とミストサウナ領域を備え、岩盤浴領域には天照石板やヒーターが備えられ、ミストサウナ領域にはミスト発生器を備えることが知られている（特許文献１）。
【先行技術文献】
【特許文献】
【０００３】
【特許文献１】特開２００７−２８９３４０号公報
【発明の概要】
【発明が解決しようとする課題】
【０００４】
入浴といえば、浴槽内の湯に身体を浸す全身浴が定着してきたが、給湯器の普及に伴って水勢のある温水シャワーが提供された結果、とりわけ若年層では浴槽での全身浴よりもシャワー浴で済ますといった入浴形態が大きく変化している。入浴の目的が全身浴による身体の温浴から、シャワー浴による身体の温水洗浄に変化している。浴室内は暖房によって保温され、入浴には浴室内でのミスト浴も採り入れられている。入浴は浴室内の環境変化とともに、全身浴に固執しない種々の形態、個人の趣向に沿った形に変化しており、快適な入浴が求められているという課題がある。
【０００５】
このような入浴形態の変化についての課題に加え、入浴には次のような課題がある。車椅子利用者や被介護者の入浴には、介護者を伴って浴室内または浴槽内へ移動するなど、相当な労力を必要とする。
浴槽水に身体を浸す全身浴では利用者の高齢化だけでなく、幼児の入浴では浴槽水に水没する危険性を回避しなければならない。
居室と浴室または更衣室を含む浴室が離れている場合には、居室温度に対して浴室温度が低い場合など、浴室へ移動した際のヒートショックも回避しなければならない。
【０００６】
本発明者は、岩盤浴による入浴効果が全身浴と同等の温浴効果に加え、全身浴以上の入浴効果が期待できるとの知見を得た。
そこで、本発明の目的は上記課題に鑑み、岩盤浴が可能であるとともに、入浴者の趣向に沿った快適で利便性の高い岩盤浴システムを提供することにある。
【課題を解決するための手段】
【０００７】
上記目的を達成するため、本発明の岩盤浴システムの一側面によれば、浴室に設置され、熱媒の循環により加熱する岩盤浴ユニットと、前記浴室を暖房する暖房手段と、前記岩盤浴ユニットに前記熱媒を循環し、前記浴室に給湯する熱源手段と、前記岩盤浴ユニットエリアにミストを噴霧するミスト発生手段と、入浴者情報に関係付けられた岩盤浴情報、暖房情報、給湯情報、またはこれらの更新情報を格納する記憶部と、入浴者を認証する入浴者認証部と、入浴者情報ごとに前記記憶部から読み出された前記岩盤浴情報、前記暖房情報、前記給湯情報または前記更新情報を参照し、前記暖房手段、前記熱源手段または前記ミスト発生手段の何れかを制御する制御部とを備える。
【０００８】
上記岩盤浴システムにおいて、前記制御部は、入浴前、入浴中または入浴後、前記岩盤浴情報、前記暖房情報、前記給湯情報または前記更新情報を更新して前記記憶部に格納し、次回入浴の際、該更新情報を以て前記暖房手段、前記熱源手段または前記ミスト発生手段の何れかを制御してよい。
上記岩盤浴システムにおいて、さらに、前記制御部は、入浴検出に基づいて前記暖房手段を動作させ、浴室温度を居室温度と同一または同等の温度に制御してよい。
上記岩盤浴システムにおいて、さらに、前記ミスト発生手段は、少なくとも前記岩盤浴ユニットにミスト噴射エリアを設定し、ミスト噴射角度を仰角方向または水平方向に変更する噴射方向調整手段を備えてよい。
上記岩盤浴システムにおいて、さらに、前記岩盤浴ユニットの上面にシャワー水流を噴射可能なシャワー器具を備えてよい。
上記岩盤浴システムにおいて、さらに、前記浴室は、車椅子を出入可能な出入口部と、前記車椅子の車移動を案内する案内手段とを備えてよい。
【０００９】
上記岩盤浴システムにおいて、さらに、前記岩盤浴ユニットは、マトリックス状に区分された複数系統の放熱部を備え、各放熱部に同一または異なる温度の熱媒を循環可能にしてよい。
上記岩盤浴システムにおいて、さらに、前記岩盤浴ユニットで岩盤浴を受ける入浴者の姿勢、または前記岩盤浴ユニットと身体の接触部を検出する検出手段を備え、この検出手段の検出出力により前記岩盤浴ユニットの表面温度を制御してよい。
【００１０】
上記目的を達成するため、本発明の岩盤浴制御プログラムの一側面によれば、浴室に設置されて熱媒の循環により加熱する岩盤浴ユニットと、前記浴室内を暖房する暖房手段と、前記岩盤浴ユニットに前記熱媒を循環しかつ前記浴室に給湯する熱源手段と、前記岩盤浴ユニットエリアにミストを噴霧するミスト発生手段とを含む岩盤浴システムに搭載されたコンピュータに実行させるための岩盤浴制御プログラムであって、入浴者情報に関係付けられた岩盤浴情報、暖房情報、給湯情報、またはこれらの更新情報を記憶部に格納する記憶機能と、入浴者を認証する入浴者認証機能と、入浴者情報ごとに前記記憶部から読み出された前記岩盤浴情報、前記暖房情報、前記給湯情報または前記更新情報を参照し、前記暖房手段、前記熱源手段または前記ミスト発生手段の何れかを制御する制御機能とをコンピュータに実行させる。
上記目的を達成するため、本発明の浴室ユニットの一側面によれば、上記岩盤浴システム、または上記岩盤浴制御プログラムを備える。
【発明の効果】
【００１１】
本発明によれば、次のいずれかの効果が得られる。
【００１２】
(1) 入浴者毎に岩盤浴により、またはミストの併用によりミストサウナ環境をも実現でき、入浴効果やリラクゼーション効果を得ることができる。
【００１３】
(2) 入浴者は浴槽による全身浴から開放され、身体の自由な移動など、全身浴を超える入浴効果やリラクゼーション効果を得ることができる。
(3) 岩盤浴では全身浴による静水圧を受けることがなく、静水圧による疲労感がなく、温浴効果が得られる。
(4) 岩盤浴により発汗作用が得られ、入浴の満足感を得ることができる。
【図面の簡単な説明】
【００１４】
【図１】一実施の形態に係る岩盤浴システムを示す図である。
【図２】岩盤浴システムの処理手順を示すフローチャートである。
【図３】Ａは実施例１に係る岩盤浴システムの浴室ユニットを示す斜視図、Ｂは台所リモコンの配置を示す図、Ｃは床リモコンの配置を示す図である。
【図４】Ａは浴室ユニットの洗い場における車椅子ガイドを示す図、Ｂはガイドレール部の断面を示す図、Ｃは岩盤浴ユニットと車椅子の固定構造を示す図である。
【図５】Ａは岩盤浴ユニットの高さ調整機構を示す図、Ｂは岩盤浴ユニットを示す平面図である。
【図６】Ａは岩盤浴ユニットの長さ方向の傾き調整を示す図、Ｂは岩盤浴ユニットの幅方向の傾き調整を示す図、Ｃは岩盤浴ユニット構造の一例を示す断面図である。
【図７】ミスト発生器を示す図である。
【図８】岩盤浴システムの制御部を示す図である。
【図９】Ａは台所リモコンの操作パネル部を示す図、ＢおよびＣは表示形態を示す図である。
【図１０】第１の入浴制御情報テーブルを示す図である。
【図１１】第２の入浴制御情報テーブルを示す図である。
【図１２】浴室・脱衣室の温度制御の処理手順を示すフローチャートである。
【図１３】入浴制御の処理手順を示すフローチャートである。
【図１４】Ａは実施例２に係るプロジェクタの設置例を示す図、Ｂは再生画像の統制箇所の変更を示す図、Ｃは岩盤浴リモコンを示す図である。
【図１５】Ａは実施例３に係る岩盤ユニット上の利用者状態の検出システムを示す図、Ｂは岩盤浴ユニットの系統切替制御を示す図である。
【図１６】Ａは実施例４に係る岩盤浴ユニットおよびその温度制御を示す図、Ｂは温度制御の処理手順を示すフローチャートである。
【発明を実施するための形態】
【００１５】
図１は、一実施の形態に係る岩盤浴システムを示している。図１に示す構成は一例であり、係る構成に本発明が限定されることはない。
この岩盤浴システム２では浴室４に隣接して脱衣室６が備えられる。浴室４には岩盤浴ユニット８、暖房装置１０−１、ミスト発生器１２、シャワー部１４、給湯栓１６、入浴者認証部１８−１が備えられる。脱衣室６には暖房装置１０−２、入浴者認証部１８−１および入浴者検出部１８−２が備えられる。浴室４にも同様の入浴者検出部１８−２を備えてよい。
【００１６】
岩盤浴ユニット８および暖房装置１０−１、１０−２は給湯器２０に接続され、熱媒循環路２２−１より熱媒Ｍが循環する。熱媒Ｍには温水ＨＷを用いてもよい。給湯器２０は燃料ガスの燃焼熱を熱媒Ｍに熱交換する熱源手段であって、熱媒Ｍを所定温度に加熱する。この給湯器２０は熱媒Ｍの加熱、上水による温水ＨＷの生成、加熱前の給水Ｗの供給機能を備える。
暖房装置１０−１は熱媒Ｍの熱を浴室４内の空気に熱交換し、浴室４内を暖房する。同様に、暖房装置１０−２は脱衣室６内を暖房する。これら暖房装置１０−１、１０−２は共通化して単一の暖房装置で構成してもよい。暖房装置１０−１、１０−２は温水暖房に限定されることなく、電熱暖房でもよいし、冷暖房機能を備えるエアコンの暖房機能を利用してもよい。
【００１７】
ミスト発生器１２、シャワー部１４および給湯栓１６は給湯器２０に接続され、給湯管２２−２を通して温水ＨＷの供給を受ける。ミスト発生器１２は温水ＨＷからミストを生成し、岩盤浴ユニット８の上面部に噴射可能である。
シャワー部１４および給湯栓１６は岩盤浴ユニット８に隣接する洗い場２４側に設置された給湯手段であるが、給湯栓１６は洗い場２４側に主として給湯するのに対し、シャワー部１４は温水ＨＷのシャワー流を岩盤浴ユニット８の上面および洗い場２４に供給することができる。つまり、シャワー部１４の利用により、岩盤浴中の入浴者はシャワー洗浄を行える。
【００１８】
入浴者認証部１８−１は、入浴者情報に関係付けられた設定情報を利用するための契機となる入浴者を認証する。この認証入力情報は制御部２６に提供され、入力者認証処理に供される。入浴者認証部１８−１には入浴者のタッチを検出するタッチセンサー、スイッチなどの接触検出、入浴者に触れることなく入力者を検出する非接触検出の何れでもよい。認証情報の取得形態は入浴者毎に設定されたスイッチのＯＮ・ＯＦＦの他、指紋認証、静脈認証、網膜認証の何れでもよい。
この例では、浴室４または脱衣室６にある入浴者認証部１８−１の何れかを用いれば入浴者を認証することができる。
このように入浴者認証部１８−１は入浴者の認証を行うのに対し、入浴者検出部１８−２は入浴者の到来またはその存在を検出し、浴室４または脱衣室６の出入りを検出する。この入浴者検出部１８−２には、入浴者が操作するスイッチなどの接触検知、カメラなどの非接触検知の何れを用いてもよい。
【００１９】
制御部２６は、暖房装置１０の暖房制御部、給湯器２０の給湯制御部などの制御系統と連係するコンピュータシステムであり、記憶部３０と連係し、入浴者認証部１８−１の入浴者認証に基づき、岩盤浴ユニット８、暖房装置１０、ミスト発生器１２などの機能部を制御する。記憶部３０には、基準情報、単一または複数の入浴者に関係付けられた入浴情報、岩盤浴情報、ミスト情報、給湯情報、暖房情報、更新情報および履歴情報が格納される。基準情報には、入浴者に関係付けられていない一般的な基準となる情報であり、初期情報またはその更新情報が含まれる。
【００２０】
制御部２６による岩盤浴制御には、
ａ）  入浴者の検出および認証
ｂ）  記憶部３０にある基準情報、入浴者に関係付けられた入浴情報、岩盤浴情報、ミスト情報、給湯情報、暖房情報、更新情報および履歴情報の読出しおよび参照
ｃ）  基準情報、入浴者に関係付けられた入浴情報、岩盤浴情報、ミスト情報、給湯情報、暖房情報、更新情報による岩盤浴制御
入浴者の検出および認証には入浴者認証部１８−１および入浴者検出部１８−２を一体化して検出してもよく、入浴者の認証には脱衣室６にあるたとえば、鏡に隠蔽されたカメラの撮像による入浴者形態認証を用いてもよい。
【００２１】
図２は、制御部２６で実行される制御の処理手順を示している。この処理手順は岩盤浴制御プログラムの一例である。
この処理手順では、電源投入の後、入浴者の検出の後、待機状態で入浴者の認証が可能である。制御部２６が入浴者認証部１８−１で入浴者を認証したかを判断する（Ｓ１０１）。
入浴者を認証すると（Ｓ１０１のＹＥＳ）、制御部２６は入浴者情報が記憶部３０にあるかを判断する（Ｓ１０２）。入浴者情報が記憶部３０に記録されていれば（Ｓ１０２のＹＥＳ）、設定情報やその更新情報があるかを判断する（Ｓ１０３）。更新情報がなければ（Ｓ１０３のＮＯ）、特定の入浴者情報に関係付けられた設定情報を読み出し（Ｓ１０４）、その設定情報による岩盤浴制御における既述のｃ）の制御を実行する（Ｓ１０５）。
【００２２】
更新情報があれば（Ｓ１０３のＹＥＳ）、特定の入浴者に関係付けられた更新情報を読出し（Ｓ１０６）、その更新情報による岩盤浴制御における既述のｃ）の制御を実行する（Ｓ１０７）。
この岩盤浴制御中、入浴者の挙動を監視し、入浴者が浴室４を退室したかを判断する（Ｓ１０８）。この浴室４から入浴者が退室したかの判断には入浴者検出部１８−２の検出結果を用いればよい。
入浴者が浴室４から退室すれば（Ｓ１０８のＹＥＳ）、入浴者から取得した入浴情報を更新情報および履歴情報として記録し（Ｓ１０９）、この岩盤浴制御を終了する。登録された情報が次回の入浴時に用いられる。
【００２３】
入浴者登録の判断において（Ｓ１０２）、入浴者情報が記録されていなければ（Ｓ１０２のＮＯ）、予め記憶部３０から岩盤浴制御の基準情報を読み出し（Ｓ１１０）、基準情報による制御を行う（Ｓ１１１）。この制御は、入浴者情報に関係付けられていない岩盤浴制御、つまり、既述のｃ）と同等の制御である。
同様に、この岩盤浴制御中、入浴者が浴室４を退室したかを判断する（Ｓ１１２）。入浴者が浴室４から退室すれば、入浴者を登録するかを判断し（Ｓ１１３）、入浴者が登録を希望すれば（Ｓ１１３のＹＥＳ）、新規登録として入浴者に関係付けられた設定情報および履歴情報を記憶部３０に書き込み（Ｓ１１４）、この岩盤浴制御を終了する。この新規登録には、たとえば、岩盤浴リモコンや脱衣室リモコンにより、入浴者に登録の要否をアラートにより確認し、入浴者が希望すれば識別情報を求め、入浴中に取得した入浴ないし環境情報を記憶部３０に登録すればよい。登録された情報が次回の入浴時に用いられる。
【００２４】
＜一実施の形態の効果＞
この一実施の形態によれば、次の効果が得られる。
(1) 入浴者情報に関係付けられた制御情報により、入浴者の希望する入浴環境において岩盤浴を行うことができる。
(2) 設定情報で入浴中に入浴者が制御情報を更新すれば、その更新情報が記憶部３０に格納され、次回の入浴ではその更新情報を以て入浴することができる。
【００２５】
(3) 入浴者の登録がなければ、記憶部３０にある基本情報を以て入浴でき、その基本情報を更新すれば、浴室４から退室後、入浴者の登録希望に基づき、設定情報として記憶部３０に格納することができる。これにより、新規の入浴者は次回の入浴で既登録者として設定情報による入浴が行える。
(4) 入浴者は入浴中に環境設定に煩わされることなく、所望の岩盤浴温度、水量、ミストの噴射角度に調整するだけで、その環境情報を設定情報として登録し、次回の入浴で更新すれば、岩盤浴システムに更新情報として登録されるので、入浴者個人の好みにあった入浴環境を学習させ、発展させることができる。
【実施例１】
【００２６】
＜浴室ユニット、台所および居室＞
実施例１に係る岩盤浴システム２では図３のＡに示すように、浴室ユニット３２が備える。図３のＡにおいて、図１と同一部分には同一符号を付してある。
この浴室ユニット３２には既述の浴室４（図１）と同様に、岩盤浴ユニット８、暖房装置１０−１、ミスト発生器１２、シャワー部１４、給湯栓１６が設置され、これらに加えて岩盤浴リモコン３４−１、浴室リモコン３４−２、洗面台３６、鏡３８、手摺り４０−１が備えられる。
岩盤浴リモコン３４−１および浴室リモコン３４−２は、岩盤浴ユニット８の長手方向のユニット壁面に配置され、入浴者が身体を岩盤浴ユニット８に横たえた状態で操作可能である。岩盤浴リモコン３４−１または浴室リモコン３４−２には入浴者認証部１８−１が備えられる。
【００２７】
ミスト発生器１２は、岩盤浴ユニット８の短手側から長手方向にミストの噴射口を配置し、入浴者が岩盤浴ユニット８上で着座姿勢、仰臥姿勢など自由な姿勢を取り、頭部側または前面側からミスト浴を可能にしている。
岩盤浴ユニット８と洗い場２４の間の天井部には仕切りカーテン部４２が備えられ、この仕切りカーテン部４２には仕切り部材としてプロジェクタスクリーン４４が昇降可能に設置されている。プロジェクタの再生画像は、プロジェクタスクリーン４４に限定されず、他の箇所としてたとえば、浴室ユニット３２の壁面、天井面または床面に投影してもよい。
【００２８】
脱衣室６には洗面台４６、暖房装置１０−２、脱衣室リモコン３４−３が設置されている。脱衣室リモコン３４−３には入浴者検出部１８−２が含まれる。
この岩盤浴システム２には図３のＢに示すように、台所４８の壁面に設置された台所リモコン３４−４が含まれるとともに、図３のＣに示すように、居室５０の壁面に設置された床リモコン３４−５が含まれる。
【００２９】
＜車椅子５２の移動ガイド＞
洗い場２４には図４のＡに示すように、車椅子５２の移動の案内手段としてガイドレール５４が備えられる。このガイドレール５４には車椅子５２の前輪５６−１、後輪５６−２の移動を案内する出入部５４−１、旋回部５４−２および平行移動部５４−３が備えられる。
出入部５４−１は出入口部２８−２から岩盤浴ユニット８に向かって敷設され、旋回部５４−２は車椅子５２を旋回可能とし、岩盤浴ユニット８と平行方向に案内する。平行移動部５４−３は車椅子５２を岩盤浴ユニット８と平行方向の移動を案内する。
【００３０】
このようなガイドレール５４によれば、脱衣室６側から出入口部２８−２に移動した車椅子５２の前輪５６−１および後輪５６−２をガイドレール５４に合致させ、出入部５４−１から旋回部５４−２に案内させることができる。矢印Ｒで示す方向に車椅子５２を旋回させ、または矢印Ｌ方向に車椅子５２を旋回させ、後方移動で車椅子５２を平行移動部５４−３上の所望の位置に移動させることが可能である。入浴者は所望の位置で岩盤浴ユニット８に移動することができる。
車椅子５２は平行移動部５４−３から旋回部５４−２に進路を変更させ、出入部５４−１から脱衣室６に退室させることができる。
ガイドレール５４の交差部５４−４には排水口５８が備えられ、ガイドレール５４に流れ込む水を滞留させることなく、洗い場２４から排水することができる。
【００３１】
ガイドレール５４は図４のＢに示すように、洗い場２４に車椅子５２の前輪５６−１および後輪５６−２が緩やかに係合する程度の窪みで形成すればよい。
岩盤浴ユニット８の側面には図４のＣに示すように、車椅子５２の固定手段としてたとえば、固定環６０が備えられ、この固定環６０に対して車椅子５２には引出し可能な係合環６２が備えられる。固定環６０に係合環６２を係合させれば、車椅子５２を岩盤浴ユニット８に係止し、移動を阻止できる。
【００３２】
＜岩盤浴ユニット８の高さ調整機構＞
岩盤浴ユニット８はたとえば、図５のＡに示すように、複数の脚部６４を有し、各脚部６４には高さ調整機構として昇降機構部６６を有する。岩盤浴ユニット８には板状の支持フレーム６８が備えられ、この支持フレーム６８には上面に岩盤石７０が設置され、下面に昇降機構部６６のプランジャ７２がヒンジ部７４で固定されている。
岩盤石７０の表面高さｈは車椅子５２の着座部７６と同一高さｈｒｅｆに設定され、この高さｈｒｅｆを基準に上下方向に調整可能である。高さ調整量を±Δｈとすれば、
ｈ＝ｈｒｅｆ±Δｈ                      ・・・(1) 
であり、Δ＝５〔ｃｍ〕ないし１０〔ｃｍ〕程度の昇降が可能である。
浴室ユニット３２の壁面７８には、手摺り４０−２が岩盤浴ユニット８と平行に取り付けられている。
【００３３】
この岩盤浴ユニット８には図５のＢに示すように、複数の脚部として４つの昇降機構部６６を備える。各昇降機構部６６のプランジャ７２の高さ調整量Δｈは、岩盤浴ユニット８の長さ方向（入浴者ｐの身長方向）、岩盤浴ユニット８の幅方向（肩幅方向）、または脚部６４間で異なる高さに調整してよい。図６のＡに示すように、各プランジャ７２の高さ調整量±Δｈを加減すれば、入浴者ｐのたとえば、頭部側を高く、脚側を低く調整することができる。また、岩盤浴ユニット８は図６のＢに示すように、入浴者ｐの左右の昇降機構部６６の高さを調整すれば、入浴者ｐのたとえば、右半身を高く、左半身を低く調整するなど、左右の角度設定が可能であり、筋力トレーニング、体幹トレーニングが可能である。
【００３４】
この岩盤浴ユニット８には図６のＣに示すように、支持フレーム６８の上にマット部６９が設置され、このマット部６９の上に岩盤石７０が設置されている。この例では、岩盤石７０は防水層８０が設置されている。マット部６９には熱媒管７１が備えられ、この熱媒管７１により熱媒Ｍまたは温水ＨＷ、給水Ｗなどの冷水を循環させる。防水層８０を岩盤石７０の隙間にも波及させれば、岩盤石７０の露出面が防水層８０によって被覆されるので、この防水層８０により、シャワー水が掛かっても、岩盤石７０に温水ＨＷや給水Ｗの浸透するのを防止できる。
【００３５】
＜ミスト発生器のノズル方向調整機構＞
ミスト発生器１２には図７に示すように、ミスト生成部８２、粒径調整部８４、噴射方向調整部８６、ノズル部８８、温度センサー９０およびミスト制御部９２が含まれる。ミスト生成部８２は給湯器２０から温水ＨＷおよび上水Ｗを受けてミストを生成する。
粒径調整部８４は生成ミストの粒径を調整する。噴射方向調整部８６はノズル部８８のミスト噴射方向の水平角度または垂直角度のいずれか一方または双方を調整する。温度センサー９０は生成ミストの温度を検出する。
ミスト制御部９２は、温度センサー９０の検出温度を受け、ミスト生成部８２、粒径調整部８４および噴射方向調整部８６の制御とともに、ミスト温度、ミスト粒径、ミストの噴射方向の各情報を制御部２６に提供する。
【００３６】
＜制御部２６のハードウェア＞
制御部２６はコンピュータシステムで構成される。この制御部２６には図８に示すように、岩盤浴制御部９４、給湯・暖房制御部９６、ミスト制御部９２が含まれるとともに、岩盤浴リモコン３４−１、浴室リモコン３４−２、脱衣室リモコン３４−３、台所リモコン３４−４、床リモコン３４−５、ミストリモコン３４−６が連係される。
岩盤浴制御部９４にはプロセッサ１００、記憶部３０、入出力部１０４、通信部１０６が備えられる。記憶部３０にはＲＯＭ（Read-Only Memory）、ＲＡＭ（Random-Access Memory）、ＥＥＰＲＯＭ（Electrically Erasable Programmable Read-Only Memory ）などの記憶素子が用いられ、ＯＳ（Operating System）の他、岩盤浴制御プログラム、データベースとして第１の入浴制御情報テーブル１２４−１（図１０）、第２の入浴制御情報テーブル１２４−２（図１１）が格納される。この記憶部３０に格納される制御情報の書き込み、読出しは岩盤浴制御部９４のプロセッサ１００による記憶制御機能によって実行される。入出力部１０４には昇降機構部６６、温度センサー１０８−１、高さ検出部１１０、ブザー／音声出力部１１２−１が接続されている。高さ検出部１１０は昇降機構部６６の昇降情報を参照し、岩盤浴ユニット８の岩盤面の高さを検出する。
【００３７】
給湯・暖房制御部９６はコンピュータ制御によって給湯、暖房の制御を行い、これにより所望の熱媒温度や給湯温度が得られる。
岩盤浴リモコン３４−１には表示部１１４−１、操作部１１６−１および入浴者検出部１８−２が備えられる。
浴室リモコン３４−２には温度センサー１０８−３、表示部１１４−３、ブザー／音声出力部１１２−３、操作部１１６−３が備えられる。
脱衣室リモコン３４−３には入浴者検出部１８−２を備えるとともに、岩盤浴リモコン３４−１と同様に表示部、操作部が備えられる。
台所リモコン３４−４には温度センサー１０８−２、表示部１１４−２、ブザー／音声出力部１１２−２、操作部１１６−２が備えられる。
床リモコン３４−５はコンベクターや床暖房機器の温度設定や温度制御に用いられ、居室温度を検出する温度センサー１０８−４が備えられる。
ミスト制御部９２はミスト発生器１２のミスト生成、その温度制御、ミスト噴射方向などの制御を行う。
ミストリモコン３４−６には表示部１１４−４、操作部１１６−４、温度センサー１０８−５が備えられる。
【００３８】
＜台所リモコン３４−４＞
台所リモコン３４−４の前面パネル部１１８には図９のＡに示すように、温度表示部１２０および操作部１２２が備えられる。温度表示部１２０には居室温度表示部１２０−１、浴室／脱衣室温度表示部１２０−２、温度差表示部１２０−３が備えられる。操作部１２２には電源スイッチ１２２−１、温度昇降ボタン１２２−２、ブザー／音声出力部１１２−２のスピーカ１２２−３が備えられる。温度昇降ボタン１２２−２の操作により、設定温度の昇降を行うことができる。ブザー音声出力部１１２−２のスピーカ１２２−３から音声ガイドやアラートの告知を行う。
【００３９】
温度表示部１２０には図９のＡに示すように、入浴前検出温度として、居室温度表示部１２０−１には居室温度＝２０〔℃〕、浴室／脱衣室温度表示部１２０−２には浴室／脱衣室温度＝５〔℃〕、温度差表示部１２０−３には温度差＝１５〔℃〕が表示される。
この温度差１５〔℃〕を解消するため、自動的に暖房装置１０−１、１０−２を駆動し、その動作中表示として図９のＢに示すように、温度差表示部１２０−３の表示温度を点滅させる。この場合、温度差＝１５〔℃〕から１０〔℃〕に上昇し、その数値が点滅している。
この温度差＝０〔℃〕になると、図９のＣに示すように、連続点灯に移行する。これに基づき、入浴者に対して入浴を促すブザー音やガイド音声がブザー／音声出力部１１２−２のスピーカ１２２−３から出力される。
【００４０】
＜入浴制御情報テーブル１２４−１＞
入浴制御情報テーブル１２４−１は、入浴制御情報を格納するデータベースの一例である。この入浴制御情報テーブル１２４−１には入浴者情報に関係付けられない一般的な情報など、基準となる情報（基準情報）が格納される。
入浴制御情報テーブル１２４−１には図１０に示すように、情報カテゴリー１２８、設定情報１３０、更新情報１３２、履歴情報１３４が格納される。情報カテゴリー１２８は区分情報が含まれ、一例として入浴情報、ミスト情報、給湯情報、岩盤浴情報、暖房情報に区分される。設定情報１３０は入浴者などが設定した制御情報であり、更新情報１３２は設定情報１３０を更新させた情報である。履歴情報１３４には更新履歴などの履歴を表す情報が格納される。
【００４１】
入浴情報には入浴時刻、入浴時間、車椅子利用の有無、介護の有無などの計時情報が含まれる。ミスト情報にはミスト運転時間、ミスト温度、ミスト粒径、噴射方向などのミスト制御情報が含まれる。給湯情報には給湯温度、給水量、ガス使用量などの給湯制御情報が含まれる。岩盤浴情報には利用時間、設定温度、岩盤浴ユニット８の高さや角度などの制御情報が含まれる。暖房情報には浴室温度、脱衣室温度、居室温度、台所温度などの温度制御情報が含まれる。
【００４２】
＜入浴制御情報テーブル１２４−２＞
入浴制御情報テーブル１２４−２は、入浴制御情報を格納するデータベースの一例である。この入浴制御情報テーブル１２４−２には入浴者情報に関係付けられた制御情報が格納される。
この入浴制御情報テーブル１２４−２には図１１に示すように、入浴者情報１２６、情報カテゴリー１２８、設定情報１３０、更新情報１３２、履歴情報１３４が格納される。
入浴者情報１２６は単一または複数の入浴者Ａ、Ｂ・・・を特定するための情報である。情報カテゴリー１２８には認証情報が含まれる。この認証情報には入浴者を特定する識別情報が格納される。
その他、入浴制御情報テーブル１２４−１と共通する部分の説明は割愛する。
【００４３】
＜温度制御の処理手順＞
図１２は、浴室および脱衣室の温度制御の処理手順を示している。この処理手順では、電源の投入の後、入浴者の到来を待機し、入浴かを判断する（Ｓ２０１）。入浴であれば（Ｓ２０１のＹＥＳ）、浴室／脱衣室温度ｔＢ、居室温度ｔＬが取り込まれ、浴室／脱衣室温度ｔＢが居室温度ｔＬより低いか（ｔＢ＜ｔＬ）を判断する（Ｓ２０２）。
ｔＢ＜ｔＬであれば（Ｓ２０２のＹＥＳ）、ｔＬ−ｔＢ＝Δｔを算出し（Ｓ２０３）、Δｔ≧０〔℃〕であるかを判断する（Ｓ２０４）。Δｔ≧０であれば（Ｓ２０４のＹＥＳ）、暖房装置１０−１、１０−２の動作を開始し（Ｓ２０５）、浴室４および脱衣室６を暖房する。
【００４４】
この暖房とともに、温度推移を監視し、Δｔ＝０かを判断する（Ｓ２０６）。Δｔ＝０であれば（Ｓ２０６のＹＥＳ）、入浴可能を告知し（Ｓ２０７）、この処理を終了する。入浴可能を表す告知は、ブザー／音声出力部１１２−２からブザー音でもよいし、入浴を促すガイド音声でもよい。
Ｓ２０２の温度比較によって、ｔＢ＜ｔＬでなければ（Ｓ２０２のＮＯ）、つまり、ｔＢ≧ｔＬであれば、Ｓ２０３ないしＳ２０６をスキップし、入浴可能を告知し（Ｓ２０７）、この処理を終了する。
【００４５】
＜入浴制御の処理手順＞
図１３は、入浴制御の処理手順を示している。この処理手順では、電源スイッチ１２２−１（図９）の投入後、入浴を待機し、入浴者を検出する（Ｓ３０１）。この入浴者の検出は入浴者検出部１８−２（図１）によって行えばよい。つまり、入浴者が押下するスイッチでもよいし、入浴者認証部１８−１の操作を契機としてもよい。
入浴者が入浴者認証部１８−１で認証を行い、その認証により入浴者が特定された場合、入浴者の記録があるか否かを判断する（Ｓ３０２）。この入浴者の記録の有無は、入浴制御情報テーブル１２４−２の入浴者情報の有無で判断すればよい。
入浴者の記録があれば（Ｓ３０２のＹＥＳ）、入浴制御情報テーブル１２４−２を検索し、設定情報または更新情報による制御を実行する（Ｓ３０３）。
入浴者の記録がなければ（Ｓ３０２のＮＯ）、入浴制御情報テーブル１２４−１を検索し、設定情報または更新情報による制御を実行する（Ｓ３０４）。
【００４６】
入浴中または入浴後、入浴者が設定情報または更新情報を変更したかを判断する（Ｓ３０５）。設定情報または更新情報の変更情報を記録するかを問い合わせ（Ｓ３０６）、更新情報を記録する場合には（Ｓ３０６のＹＥＳ）、その変更情報を更新情報として入浴制御情報テーブル１２４−１または入浴制御情報テーブル１２４−２に記録し（Ｓ３０７）、この処理を終了する。この更新情報が次回入浴に用いられる。
入浴者が設定情報を変更していない場合（Ｓ３０５のＮＯ）または、設定情報を変更しても、情報更新をしない場合（Ｓ３０６のＮＯ）には、変更情報を登録することなく、この処理を終了する。このような処理は、履歴情報として入浴制御情報テーブル１２４−１、１２４−２に記録してもよい。
【００４７】
＜実施例１の効果＞
この実施例１によれば、次の効果が得られる。
(1) 浴槽による全身浴に代わる入浴効果を得ることができる。入浴者毎に岩盤浴による快適な入浴環境を実現でき、入浴効果やリラクゼーション効果を高めることができ、入浴前に浴室を保温するので、ヒートショックを回避できる。入浴者は浴槽による全身浴から開放され、身体の自由な移動など、浴槽水に全身を浸す全身浴を超える入浴効果やリラクゼーション効果を得ることができる。岩盤浴では全身浴による静水圧を受けることがなく、静水圧による疲労感がなく、温浴効果が得られる。岩盤浴では発汗作用による入浴の満足感を得られる。
(2) 浴室ユニット３２の空間内は岩盤浴ユニット８の設置スペースと洗い場２４のスペースに仕切り可能であり、入浴者は洗い場２４から岩盤浴ユニット８へ車椅子５２を以て移動することができる。
【００４８】
(3) 岩盤浴ユニット８は、車椅子５２の着座部７６の高さに対応する高さを基準に体躯に応じた高さなど、所望の高さで岩盤浴を受けることができる。
(4) 岩盤浴ユニット８で、岩盤浴とミストサウナを同時または個別に行うことができ、岩盤浴ユニット８の温度は熱媒Ｍの温度調整によって所望の温度に設定できる。
(5) ミスト発生器１２はミスト噴射口を所望方向に調整できるので、岩盤浴ユニット８の岩盤表面から３０〜１００〔ｃｍ〕の高さに設定でき、入浴者の対面ミスト浴が可能である。ミスト発生器１２のノズル部８８から岩盤表面と水平または水平に近い角度で、ミスト噴射が可能であり、入浴者に対面ミスト浴を提供できる。
【００４９】
(6) 岩盤浴ユニット８の設置スペースと洗い場２４のスペースとを仕切る仕切り部材は、プロジェクタ・スクリーン機能を有し、動画再生などに利用できる。プロジェクタの再生画像は浴室ユニット３２の壁面、天井面または床面のいずれにも投影することができ、この場合、岩盤浴ユニット８をベンチとして使用できる。
(7) 岩盤浴ユニット８の表面は防水加工を施してもよく、岩盤浴ユニット８に入浴者が仰臥または着座状態でシャワー流を受けることができ、入浴者の利便性、被介護者および介護者の利便性や清潔さを高めることができる。
(8) この岩盤浴システム２では、岩盤浴リモコン３４−１を浴室４だけではなく、脱衣室６に設置して岩盤浴の設定や制御を行うことができる。
【００５０】
(9) 居室温度、脱衣室温度、浴室温度を計測し、これらを表示するとともに、入浴前に、手動もしくは自動で浴室４の暖房装置１０−１や脱衣室６の暖房装置１０−２の暖房運転を行い、居室温度と同一または同等の温度に浴室４や脱衣室６を保温できるので、入浴者のヒートショックを防止し、または軽減することができる。
(10) 岩盤浴リモコン３４−１は他のリモコンとコンピュータシステムで連動させることができ、浴室４に移動することなく、近くのリモコンから温度制御を行うことができる。岩盤浴ユニット８を遠赤外線が出やすい温度に制御することができる。
(11) 居室温度、脱衣室温度、浴室温度を計測し、これらを表示するとともに、入浴の温度条件が成立した際には、台所リモコン３４−４などの表示部の一部を点滅させ、音声で入浴可能であることを告知でき、利便性の高いシステムを提供できる。
【００５１】
(12)  入浴者の個人認証ではたとえば、脱衣室６にある岩盤浴リモコン３４−１、浴室照明スイッチなどに個人特定スイッチとしてたとえば、入浴者が選択するボタン式の個人識別ボタン、指紋認証、静脈認証、網膜認証などの認証手段を用いることができる。脱衣室６にある鏡を利用し、画像認識による個人認証を行うことも可能である。
(13)  岩盤浴制御部９４には通信部１０６を備えているので、外部ネットワークと接続し、または、非接続のいずれを選択しても同様の岩盤浴制御を行うことができる。
(14)  入浴制御情報テーブル１２４−１、１２４−２を備えているので、各テーブルにある情報格納部に設定情報または個人情報を記録でき、制御部２６の制御に基づき、入浴者個人に合った情報を検索し、またはその情報の更新を学習し、次回以降の入浴時に適した入浴環境を提供できる。
【００５２】
(15)  制御部２６の制御により、入浴者に対する入浴アドバイスや、給湯量を確認でき、適正な温水使用量や省エネアドバイスなども可能である。
(16)  要介護者に対しても車椅子利用で容易に入浴でき、安全な岩盤浴を受けることができる。車椅子５２の利用者や要介護者の自由度が高まり、岩盤浴ユニット８に対する移動や、岩盤浴ユニット８の上への移動動作が容易になるとともに、岩盤浴ユニット８の岩盤石７０の上面で手足を伸ばして横向きになるなど、自由な姿勢を取ることができる。
(17)  岩盤浴を中心とした入浴により、浴槽による全身浴を超えるリラックス効果、マッサージ効果を得ることができる。
【００５３】
(18)  岩盤浴とミストを併用した入浴が可能であり、入浴者は仰向けまたはうつ伏せの状態で、水流マッサージ（リンパ・つぼ刺激）を行うことができる。
(19)  ミスト発生器１２のミスト噴射角度は所望の位置に設定するなど、プログラム制御による噴射方向の制御を行うことができる。入浴者の身体姿勢において、リンパ、つぼの位置に対応したミストなどの位置、角度、流量を可変制御することにより、マッサージを可能とし、マッサージのプログラムを組んでおくことで、より効果的なマッサージが可能である。
(20)  入浴者の自動洗浄も可能であり、頭の位置をミスト側にすることにより、自動洗髪、ヘッドスパを行うことができる。
(21)  シャワーまたはミストノズルを変更することにより、流量・水圧を上昇させ、快い刺激を行うことができる。
(22)  ミスト粒径を変化させ、読書、瞑想、ヨガなどを行いながら岩盤浴を行うことができる。
【実施例２】
【００５４】
＜岩盤浴ユニット８のエリアと洗い場２４の仕切り＞
図１４のＡに示すように、仕切りカーテン部４２からプロジェクタスクリーン４４を引出せば、岩盤浴ユニット８の岩盤浴エリア１３８−１と、洗い場エリア１３８−２とを仕切ることができ、岩盤浴エリア１３８−１を個室化するこができる。プロジェクタスクリーン４４には、浴室ユニット３２の壁面に設定されたプロジェクタ１４０から動画情報を表示させることができる。
この場合、図１４のＢに示すように、プロジェクタスクリーン４４を引き出すことなく、浴室ユニット３２の壁面１３７を投影面に用いて動画再生などの再生画像を投影してもよい。
このプロジェクタ１４０には図１４のＣに示すように、動画再生機器１４２および岩盤浴リモコン３４−１の再生制御部１４４を連係させ、プロジェクタ１４０および動画再生機器１４２を再生制御部１４４より操作することができる。
【００５５】
＜実施例２の効果＞
実施例２によれば、岩盤浴中に動画再生などを行うことにより、リラクゼーション効果をより高めることができる。
【実施例３】
【００５６】
＜身体姿勢の検出＞
浴室ユニット３２には図１５のＡに示すように、天井部１３６にカメラなどからなる姿勢検知センサー１４６を設置すれば、岩盤浴ユニット８上の入浴者の身体姿勢を画像情報により検出することができる。
【００５７】
＜岩盤浴ユニット８の複数系統の放熱制御＞
岩盤浴ユニット８の岩盤石７０を複数行複数列の複数のユニットに分割し、マトリックス状に個別に加熱部８−１１、８−１２・・・８−１５、８−２１・・・８−３５を配置し、系統を異ならせて熱媒Ｍを供給する形態とする。各加熱部８−１１、８−１２・・・８−１５、８−２１・・・８−３５には系統切換部１４８とともに、同一または異なる温度の熱媒Ｍを供給する複数の熱媒循環路２２−３を備えれば、岩盤浴制御部９４および系統切換リモコン３４−６により、加熱部８−１１、８−１２・・・８−１５、８−２１・・・８−３５に同一または異なる温度の熱媒Ｍを選択して供給することができる。
系統切換リモコン３４−６には、加熱部８−１１、８−１２・・・８−１５、８−２１・・・８−３５に対応するマトリックス状に複数の選択ボタン１５０が備えられ、この選択ボタン１５０の選択により、加熱部８−１１、８−１２・・・８−１５、８−２１・・・８−３５に同一または異なる温度の熱媒Ｍを循環させ、たとえば、部分的に異なる温度で放熱させることができる。
【００５８】
＜実施例３の効果＞
実施例３によれば、次の効果が得られる。
(1) 入浴者が選択した異なる部位に異なる温度での岩盤浴が行える。
(2) 体感姿勢に併せて岩盤浴の表面温度の制御が可能であり、仰向けなどで背部が接触しているときは岩盤浴表面温度を高めに、うつ伏せなどで前部が接触している場合は岩盤浴表面温度を低めなどに、入浴者が予めカスタマイズした制御で岩盤浴を行うことができる。
(3) 入浴者の身体姿勢の認識は画像認識や接触面積のパターンなどにより判別でき、岩盤浴ユニット８では複数系統に分割して部分的な負荷運転（省エネ運転）や同一または異なる放熱制御をすることができる。
【実施例４】
【００５９】
＜熱媒Ｍ／給水Ｗの切換制御＞
岩盤浴ユニット８は図１６のＡに示すように、給湯器２０から供給される熱媒Ｍまたは給水Ｗを熱媒／給水切換部１５２により供給可能とし、この熱媒／給水切換部１５２の熱媒Ｍまたは給水Ｗを岩盤浴制御部９４で切り換えてもよい。熱媒／給水切換部１５２は、熱媒、冷水の切換手段の一例である。
この場合、岩盤浴リモコン３４−１には、熱媒選択ボタン１５４−１、給水選択ボタン１５４−２を備え、入浴者が熱媒選択ボタン１５４−１または給水選択ボタン１５４−２を操作することにより、熱媒Ｍから給水Ｗ、給水Ｗから熱媒Ｍに切り換えることができる。
給水Ｗは冷却手段を以て上水温度より低い温度で、冷水として供給してもよい。
【００６０】
図１６のＢは、熱媒Ｍ／給水Ｗの切換制御の処理手順を示している。この制御では、熱媒選択ボタン１５４−１または給水選択ボタン１５４−２の操作を受けることにより、供給熱媒Ｍまたは給水Ｗかを判断する（Ｓ４０１）。熱媒Ｍの循環を選択すると（Ｓ４０１の［Ｍ］）岩盤浴ユニット８に熱媒Ｍを循環し（Ｓ４０２）、給水Ｗの循環を選択すると（Ｓ４０１の［Ｗ］）岩盤浴ユニット８に給水Ｗを循環させ（Ｓ４０３）、熱媒Ｍおよび給水Ｗは給湯器２０により所望の温度に制御する（Ｓ４０４）。給水Ｗを冷却手段によって冷却する場合には、その冷却手段の冷却温度を制御すればよい。
【００６１】
＜実施例４の効果＞
この実施例４によれば、次の効果が得られる。
(1) 熱媒Ｍと給水Ｗの切り換えにより、岩盤浴ユニット８をクールベッド化することができる。
(2) 熱媒Ｍまたは給水Ｗの温度制御により、岩盤浴ユニット８の温度制御幅を拡大することができる。
【００６２】
〔他の実施の形態〕
(1) シャワー器具にシャワー流の噴射方向を制御する方向制御部を備え、シャワー流の噴射方向をプログラム制御によって変更する構成としてもよい。
(2) シャワー器具はアフュージョンシャワーイメージのノズルとして単一または複数であってもよい。
(3) 岩盤浴ユニット８の加熱は熱媒Ｍだけでなく、電熱であってもよいし、電熱を併用してもよい。
(4) 岩盤浴情報などの各種設定情報の更新は、入浴中であってもよい。
(5) ミストの噴射角度は垂直方向を含む仰角方向であってよい。
(6) シャワー器具は岩盤浴ユニットの上面に設置し、岩盤浴ユニットの上面にシャワー水流を噴射する形態としてもよい。
(7) 岩盤浴ユニットの表面温度の制御について、入浴者の身体が岩盤浴ユニットと接触する部位などの接触部を検出し、この検出部に応じて岩盤浴ユニットの表面温度を全面的または部分的に変更する制御を含んでよい。
【００６３】
以上説明したように、本発明の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００６４】
本発明の岩盤浴システム、岩盤浴制御プログラムおよびその浴室ユニットによれば、岩盤浴による入浴効果を高めることができ、入浴者に関係付けられた入浴制御情報により浴槽を用いた全身浴に代わる質の高い入浴効果を達成することができる。
【符号の説明】
【００６５】
２  岩盤浴システム
４  浴室
６  脱衣室
８  岩盤浴ユニット
１０−１、１０−２  暖房装置
１２  ミスト発生器
１４  シャワー部
１６  給湯栓
１８−１  入浴者認証部
１８−２  入浴者検出部
２０  給湯器
２２−１  熱媒循環路
２２−２  給湯管
２４  洗い場
２６  制御部
２８−２  出入口部
３０  記憶部
３２  浴室ユニット
３４−１  岩盤浴リモコン
３４−２  浴室リモコン
３４−３  脱衣室リモコン
３４−４  台所リモコン
３４−５  床リモコン
３４−６  ミストリモコン
３６  洗面台
３８  鏡
４０−１、４０−２  手摺り
４２  仕切りカーテン部
４４  プロジェクタスクリーン
４６  洗面台
５０  居室
５２  車椅子
５４  ガイドレール
５４−１  出入部
５４−２  旋回部
５４−３  平行移動部
５４−４  交差部
５６−１  前輪
５６−２  後輪
５８  排水口
６０  固定環
６２  係合環
６４  脚部
６６  昇降機構部
６８  支持フレーム
７０  岩盤石
７２  プランジャ
７４  ヒンジ部
７６  着座部
７８  壁面
８０  防水層
８２  ミスト生成部
８４  粒径調整部
８６  噴射方向調整部
８８  ノズル部
９０  温度センサー
９２  ミスト制御部
９４  岩盤浴制御部
９６  給湯・暖房制御部
１００  プロセッサ
１０４  入出力部
１０６  通信部
１０８  記憶部
１０８−１、１０８−２、１０８−３、１０８−４  温度センサー
１１０  高さ検出部
１１２−１、１１２−２、１１２−３  ブザー／音声出力部
１１４−１、１１４−２、１１４−３、１１４−４  表示部
１１６−１、１１６−２、１１６−３、１１６−４  操作部
１１８  前面パネル部
１２０  温度表示部
１２０−１  居室温度表示部
１２０−２  浴室／脱衣室温度表示部
１２０−３  温度差表示部
１２２  操作部
１２２−１  電源スイッチ
１２２−２  温度昇降ボタン
１２２−３  スピーカ
１２４、１２４−１、１２４−２  入浴制御情報テーブル
１２６  入浴者情報
１２８  情報カテゴリー
１３０  設定情報
１３２  更新情報
１３４  履歴情報
１３６  天井
１３７  壁面
１３８−１  岩盤浴エリア
１３８−２  洗い場エリア
１４０  プロジェクタ
１４２  動画再生機器
１４４  再生制御部
１４６  姿勢検知センサー
１４８  系統切換部
３４−６  系統切換リモコン
１５０  選択ボタン
１５２  熱媒／給水切換部
１５４−１  熱媒選択ボタン
１５４−２  給水選択ボタン
【図１】
2018171269.tif 000003
【図２】
2018171269.tif 000004
【図３】
2018171269.tif 000005
【図４】
2018171269.tif 000006
【図５】
2018171269.tif 000007
【図６】
2018171269.tif 000008
【図７】
2018171269.tif 000009
【図８】
2018171269.tif 000010
【図９】
2018171269.tif 000011
【図１０】
2018171269.tif 000012
【図１１】
2018171269.tif 000013
【図１２】
2018171269.tif 000014
【図１３】
2018171269.tif 000015
【図１４】
2018171269.tif 000016
【図１５】
2018171269.tif 000017
【図１６】
2018171269.tif 000018